(57)【要約】    【課題】  定期的に行う刈り取り作業によって雑草を除去することなく、雑草の成育を防止して、歩車道の美観を保持することのできる縁石付側溝ブロックを提供すること。    【解決手段】  側溝ブロック本体の上面片側に縁石を突設形成した縁石付側溝ブロックにおいて、縁石の歩道側の面に凹部を形成し、縁石と歩道との境界部より雑草が成育するのを防止することとした。【選択図】      図１
2006077430.tif 000002
【特許請求の範囲】
【請求項１】
側溝ブロック本体の上面片側に縁石を突設形成した縁石付側溝ブロックにおいて、
縁石の歩道側の面に凹部を形成し、縁石と歩道との境界部より雑草が成育するのを防止してなることを特徴とする雑草防止用の縁石付側溝ブロック。
【請求項２】
前記凹部は、縁石の伸延方向に沿って伸延させた凹溝としたことを特徴とする請求項１記載の雑草防止用の縁石付側溝ブロック。
【請求項３】
前記凹部は、縁石の伸延方向に沿って所定間隔ごとに複数設けたことを特徴とする請求項１または請求項２記載の雑草防止用の縁石付側溝ブロック。
【請求項４】
前記凹部の断面形状を、開口部へ向けて漸次拡開させたことを特徴とする請求項１から請求項３のいずれか１項に記載の雑草防止用の縁石付側溝ブロック。
【請求項５】
前記凹部の断面形状を、円弧状としたことを特徴とする請求項１から請求項４のいずれか１項に記載の雑草防止用の縁石付側溝ブロック。
【請求項６】
前記凹部の開口間隔寸法を、縁石の高さ寸法の１/２以上としたことを特徴とする請求項１から請求項５のいずれか1項に記載の雑草防止用の縁石付側溝ブロック。
【請求項７】
前記縁石は、上面に伸延方向に沿って下降させた傾斜面を有することを特徴とする請求項１から請求項６のいずれか１項に記載の雑草防止用の縁石付側溝ブロック。
【発明の詳細な説明】
【技術分野】
【０００１】
本発明は、縁石付側溝ブロックに関するものである。
【背景技術】
【０００２】
従来、歩道と車道との境界に縁石を埋設して歩道と車道とを区別し、歩行者の安全を確保するようにしていた。
【０００３】
ところが、縁石と歩道側舗装路との境界は使用するうちにひび割れを起こしやすく、縁石と歩道側舗装路との境界部に間隙を形成していた。そのため、この間隙に土砂とともに雑草の種子が侵入して雑草が繁茂し、歩車道の美観を損なっていた。
【０００４】
これらの雑草は、定期的に行う刈り取り作業によって除去されてはいたが、またすぐに繁茂してしまい、刈り取り作業に多くの時間と労力とを要していた。
【０００５】
そこで、歩道面よりも下方に位置する歩道側の面に伸延方向に沿って凹溝を設けて、縁石と歩道側舗装路との境界部に雑草が繁茂することを防止するようにした縁石があった。
【０００６】
すなわち、この縁石は歩道側の面に凹溝を有し、縁石が舗装される歩道と車道との境界に埋設される際に、この凹溝内にアスファルトが充填されていた。この縁石と歩道側舗装路との境界は、上述したように、使用するうちにひび割れを起こしやすく、縁石と歩道側舗装路との境界部に間隙を形成して、地表と前記凹溝の下方に位置する土質部とを連通させていた。この時、間隙は前記凹溝に沿って形成されるため、地表から土質部までの距離を長くすることができた。そのため、土質部に含まれた雑草の種子は、発芽すべく地表に向かって成育しようとするが、地表に到達することなく枯れてしまっていた。また、前記間隙に土砂とともに侵入した雑草の種子は、豊富な栄養素を含む土質部まで根を成育させようとするが、やはり、土質部に到達することなく枯れてしまっていた。このように、前記凹溝によって雑草の根の成育を阻害し、縁石と歩道との境界部に雑草が繁茂することを防止していた（例えば、特許文献１参照。）。
【０００７】
また、歩車道の境界に縁石とともに側溝ブロックを埋設する場合には、前記縁石を側溝ブロックの上面に載設して、縁石と歩道との境界部に雑草が繁茂しないようにしていた。
【特許文献１】特開２００１−２６２６７６号公報
【発明の開示】
【発明が解決しようとする課題】
【０００８】
ところが、前記従来の縁石は、上述したように、歩道面よりも下方に位置する歩道側の面に伸延方向に沿って凹溝を設け、縁石と歩道との境界部に雑草が繁茂することを防止するようにしていたが、この凹溝は小さくて浅かったので、縁石と歩道側舗装路との境界にひび割れが発生する際に、雑草の根の成育を阻止するのに十分な大きさおよび深さを有する間隙を形成することができなかった。そのため、雑草の中でも生命力のたけたものになると、その根の成育を阻止することができなかった。しかも、縁石と歩道側舗装路との境界にひび割れが発生する際に、前記凹溝に沿ってひび割れを発生させることができず、縁石の歩道側の面に沿って垂直方向に伸延した直線的な間隙を形成することもあった。このような場合には、雑草の成育を阻害することはできず、縁石と歩道との境界部において雑草が繁茂することになり、歩車道の美観を保持するためには定期的な刈り取り作業が必要であった。
【０００９】
また、前記凹溝を、伸延方向に沿って側面の端部から端部まで連続して設けていたので、縁石と歩道側舗装路との境界における構造強度を十分に保持することができなかった。
【００１０】
また、歩車道の境界に縁石とともに側溝ブロックを埋設する場合には、前記縁石を側溝ブロックの上面に載設する必要があったため、縁石および側溝ブロックの埋設作業に多くの時間と労力とを要していた。
【課題を解決するための手段】
【００１１】
請求項１に係る本発明は、側溝ブロック本体の上面片側に縁石を突設形成した縁石付側溝ブロックにおいて、縁石の歩道側の面に凹部を形成し、縁石と歩道との境界部より雑草が成育するのを防止することにした。
【００１２】
また、請求項２に係る本発明は、前記凹部は、縁石の伸延方向に沿って伸延させた凹溝とすることとした。
【００１３】
また、請求項３に係る本発明は、前記凹部は、縁石の伸延方向に沿って所定間隔ごとに複数設けることとした。
【００１４】
また、請求項４に係る本発明は、前記凹部の断面形状を、開口部へ向けて漸次拡開させることとした。
【００１５】
また、請求項５に係る本発明は、前記凹部の断面形状を、円弧状とすることとした。
【００１６】
また、請求項６に係る本発明は、前記凹部の開口間隔寸法を、縁石の高さ寸法の１/２以上とすることとした。
【００１７】
また、請求項７に係る本発明は、前記縁石は、上面に伸延方向に沿って下降させた傾斜面を有することとした。
【発明の効果】
【００１８】
請求項１に係る本発明では、側溝ブロック本体の上面片側に縁石を突設形成した縁石付側溝ブロックにおいて、縁石の歩道側の面に凹部を形成し、縁石と歩道との境界部より雑草が成育するのを防止することにしたので、縁石と歩道との境界部において雑草の成育を阻害して、雑草の刈り取り作業を要することなく歩車道を美しく保つことができる。すなわち、縁石付側溝ブロックは歩道および車道を舗装する際に、歩道側舗装路および車道側舗装路と接着固定されるが、この時、前記凹部にもアスファルトが充填され、縁石と歩道側舗装路との境界に凹部を形成する。この縁石と歩道側舗装路との境界は使用するうちにひび割れを起こしやすく、縁石と歩道側舗装路との境界部に間隙を形成して地表と土質部とを連通してしまう。ここで、縁石の歩道側の面には前記凹部を設けているので、前記間隙はこの凹部に沿って形成され、地表から土質部までの距離を長くすることができる。そのため、この間隙に土砂とともに雑草の種子が侵入したとしても、雑草の根が豊富な栄養素を含む土質部に到達する前にその根を枯らすことができる。また、土質部に含まれていた雑草の種子が発芽すべく成育しようとしても、同様の理由により、地表に到達する前に枯らすことができる。特に、太陽光線が強い季節においては、太陽熱で加熱された縁石やアスファルトが雑草の根の成育を阻害して枯らすことができる。
【００１９】
また、縁石を側溝ブロック本体と一体に形成したことにより、縁石付側溝ブロックの埋設作業を簡略化して作業効率を向上することができるとともに、縁石と側溝ブロック本体との境界がひび割れすることなく、歩車道の美観を長期に亘って保持することができる。
【００２０】
請求項２記載の本発明では、前記凹部は、縁石の伸延方向に沿って伸延させた凹溝としたので、縁石と歩道側舗装路との境界部に間隙が形成された場合、凹溝の下方に存在する土質部と地表との間に、雑草の根の成育を阻む凹部を設けることができる。そのため、縁石と歩道側舗装路との境界部の全体に亘って雑草が繁茂することを防止することができる。
【００２１】
請求項３記載の本発明では、前記凹部は、縁石の伸延方向に沿って所定間隔ごとに複数設けることとしたので、縁石と歩道側舗装路との境界に凹凸を形成して縁石と歩道側舗装路とのずれを防止することができるとともに、縁石と歩道側舗装路との接着面積を大きくして強固に接着することができる。しかも、縁石と歩道側舗装路との境界部における構造強度を強くすることができる。さらに、雑草の根が水平方向に成育することを防止することができる。
【００２２】
請求項４記載の本発明では、前記凹部の断面形状を、開口部へ向けて漸次拡開させることにしたので、凹部にアスファルトが充填される際に、凹部とアスファルトとの間に間隙が形成されることがなく十分に充填され、凹部とアスファルトとを強固に接着することができる。また、縁石と歩道側舗装路との境界にひび割れが発生し間隙を形成した場合に、土砂が侵入する間隙のスペースを最小限に抑えて、土砂とともに侵入した雑草の種子に成育しやすい環境を与えないようにすることができる。
【００２３】
請求項５記載の本発明では、前記凹部の断面形状を円弧状とすることとしたので、凹部にアスファルトが充填される際に、凹部とアスファルトとの間に間隙が形成されることなく十分に充填され、凹部とアスファルトとを強固に接着することができる。また、縁石と歩道側舗装路との境界にひび割れが発生して間隙を形成した場合に、土砂が侵入する間隙のスペースを最小限に抑えて、土砂とともに侵入した雑草の種子に成育しやすい環境を与えないようにすることができる。
【００２４】
請求項６記載の本発明では、前記凹部の開口間隔寸法を、縁石の高さ寸法の１/２以上とすることとしたので、縁石と歩道側舗装路との境界に十分な大きさの凹凸を有する間隙を形成することができ、縁石と歩道側舗装路との接触面積を大きくして強固に接着することができるとともに、生命力のたけた雑草の根の成育までも完全に阻害して歩車道の美観を保持することができる。
【００２５】
請求項７記載の本発明では、前記縁石は、上面に伸延方向に沿って下降させた傾斜面を有することとしたので、歩車道の境界において段差のない車両乗入部を形成する際、この車両乗入部の両側に、上面に下降傾斜面を有する縁石を配設することによって、車両乗入部から縁石の高さが次第に高くなるようにして車両の乗入れを安全とすることができるとともに、縁石と歩道側舗装路との境界部に雑草が繁茂することを防止することができる。
【発明を実施するための最良の形態】
【００２６】
本発明に係る雑草防止用の縁石付側溝ブロックは、内部に水路を有した中空筒状とする側溝ブロック本体と、この側溝ブロック本体の上面片側に突設形成した縁石とよりなり、縁石を側溝ブロック本体と一体に形成している。
【００２７】
このように、縁石を側溝ブロック本体と一体に形成したことにより、埋設作業を簡略化して作業効率を向上することができるとともに、縁石と側溝ブロック本体との境界がひび割れすることなく、歩車道の美観を長期に亘って保持することができる。また、縁石を側溝ブロック本体の上面に配置することができるので、道路を有効利用することができる。
【００２８】
特に、この縁石の歩道側の面には凹部を形成しており、歩道を舗装する際には、この凹部にもアスファルトが充填されて、縁石と歩道側舗装路との境界に凹凸が形成されるようにしている。そのため、縁石と歩道側舗装路とのずれを防止することができるとともに、縁石と歩道側舗装路との接触面積を大きくして強固に接着することができる。
【００２９】
さらに、縁石付側溝ブロックは使用状況や使用期間の長期化によっては、縁石と歩道側舗装路との境界にひび割れを起こして間隙を形成してしまい、この間隙に土砂とともに雑草の種子が侵入して成育しようとする場合があるが、そのような場合にも、この凹部は雑草の種子の成育を防止するように機能することができる。すなわち、ひび割れによって形成される間隙は前記凹部に沿って形成されるため凹凸を有しており、土質部から地表までの距離が延長されている。そのため、前記雑草の種子は豊富な栄養素を含む土質部まで根を成育させようとするが、地表に到達することなく枯れてしまう。また、土質部に存在する雑草の種子が発芽しようとしても、やはり、地表に到達する前に枯れてしまう。特に、太陽光線が強い季節においては、太陽熱で加熱された縁石やアスファルトが雑草の根の成育を阻害して枯らすことができる。そのため、雑草の刈り取り作業を要することなく歩車道の美観を保つことができる。
【００３０】
また、前記凹部を、縁石の伸延方向に沿って伸延させた凹溝とすれば、歩道側舗装路の下方に存在する土質部と地表との間に、雑草の根の成育を阻む凹部を設けることができるので、縁石と歩道側舗装路との境界部の全体に亘って、雑草が繁茂することを防止することができる。
【００３１】
また、前記凹部を、縁石の伸延方向に沿って所定間隔ごとに複数設けるようにすれば、縁石と歩道側舗装路との接触面積をさらに大きくして強固に接着することができる。しかも、縁石と歩道との境界部における構造強度を強くすることができる。また、雑草の根が水平方向に成育することを防止することができる。
【００３２】
さらに、前記凹部の開口形状を、例えば、楕円や平行四辺形として、縁石の歩道側の面に斜め方向に傾斜させて配置するとともに、この凹部を水平方向に平行移動させた位置に所定間隔を保持して複数配置させることによって、縁石の歩道側の面の上下方向において必ず凹部が存在するようにすることができる。そのため、縁石と歩道側舗装路との境界がひび割れを起こして間隙を形成した場合でも、この間隙の地表と土質部との間に必ず凹部が存在するようにして、縁石と歩道側舗装路との境界部の全体に亘って雑草が繁茂することを防止することができる。しかも、凹部と凹部との間は、縁石の歩道側の面の上部および下部と連続しているので、縁石と歩道側舗装路との境界における構造強度を保持することができる。
【００３３】
また、前記凹部の断面形状を、開口部へ向けて漸次拡開するように、例えば、前記凹部の断面形状を円弧状や台形状に構成すれば、凹部にアスファルトが充填される際に、凹部の隅々にまでアスファルトが十分に充填されることになり、凹部とアスファルトとの境界に間隙が形成されることを防止することができる。その結果、縁石と歩道側舗装路との境界部にひび割れによる間隙が形成されたとしても、この間隙に侵入する土砂の量を最小限に抑えて、雑草の根に成育しやすい環境を提供しないようにすることができる。
【００３４】
しかも、前記凹部の開口間隔寸法を縁石の高さ寸法の１/２以上とすれば、凹部を十分な大きさとすることができ、縁石と歩道側舗装路との接触面積を大きくして強固に接着することができる。さらに、縁石と歩道側舗装路との境界部に、十分な大きさの凹凸を有する間隙を形成することができるため、生命力のたけた雑草の根の成育までも完全に阻害することができ、歩車道の美観を保持することができる。
【００３５】
さらに、前記凹部は、上面に伸延方向に沿って下降させた傾斜面を有する縁石にも設けることができ、車両乗入部においても縁石と歩道側舗装路との境界部に雑草が繁茂することを防止することができる。
【００３６】
以下において、図面に基づいて本発明に係る雑草防止用の縁石付側溝ブロックの具体的な実施形態について説明する。
【００３７】
まず、雑草防止用の縁石付側溝ブロックの構成について説明する。
【００３８】
図１〜８に本発明に係る雑草防止用の縁石付側溝ブロックＡの一例を示す。縁石付側溝ブロックＡは、内部に水路１を有する中空筒状とする側溝ブロック本体２と、この側溝ブロック本体２の上面の歩道側に突設した縁石３とよりなる。
【００３９】
このように、縁石３を側溝ブロック本体２と一体に形成したことにより、埋設作業を簡略化して作業効率を向上することができるとともに、縁石３と側溝ブロック本体２との境界がひび割れすることなく、歩車道の美観を長期に亘って保持することができる。また、縁石３を側溝ブロック本体２の真上に配置することができるので、道路を有効利用することができる。
【００４０】
側溝ブロック本体２の上面は、縁石３に向う下降傾斜面とする（図５〜図７参照）とともに、この下降傾斜面の下降側端部には水路１と貫通した排水孔４を、所定間隔を保持して４個穿設している（図２参照。）。
【００４１】
そのため、車道側に滞留した雨水等を効率良く排水孔４に集水し、さらに排水孔４から側溝ブロック本体２の水路１内へと排水することができる。
【００４２】
また、側溝ブロック本体２の上面と車道側の側面とで形成される角部、および下面と歩道側および車道側の側面とで形成される角部には、それぞれ面取りを施している。
【００４３】
また、側溝ブロック本体２の下面と歩道側および車道側の側面とで形成される角部には、図１,図３,図７に示すように、両端部を残して斜めに切り落した切り落し傾斜面５をそれぞれ設けている。これらの切り落し傾斜面５により自重に対して耐力を高めることができる。さらに、軽量化とともに省資源化を図ることができる。
【００４４】
また、側溝ブロック本体２の長手方向の一端面に、隣接される他の縁石付側溝ブロックＡと連結させるための連結凸部６'を設けるとともに、他端面に隣接される他の縁石付側溝ブロックＡと連結させるための連結凹部７'を設けている。ここで、連結凸部６'が設けられた端面を連結凸端面６、連結凹部７'が設けられた端面を連結凹端面７とする。
【００４５】
そして、縁石付側溝ブロックＡの埋設に際して、縁石付側溝ブロックＡの連結凸部６'は、縁石付側溝ブロックＡの連結凸端面６側に隣接される他の縁石付側溝ブロックＡの連結凹端面７に設けられた連結凹部７'と嵌合され、縁石付側溝ブロックＡの連結凹部７'は、縁石付側溝ブロックＡの連結凹端面７側に隣接される他の縁石付側溝ブロックＡの連結凸端面６に設けられた連結凸部６'と嵌合される。
【００４６】
連結凸部６'は、図５に示すように、水路１から所定間隔を保持して水路１に沿って略リング状に、連結凸端面６から垂直に突設している。ここで、連結凸部６'の外周面を、基端肉厚のテーパー面としている。そのため、この連結凸部６'は隣接する他の縁石付側溝ブロックＡの連結凹部７'に挿入されやすく、縁石付ブロックＡの設置作業を容易とすることができる。
【００４７】
連結凹部７'は、図６に示すように、連結凹端面７において、下部を断面視略半円状とし、この半円の直径を保持して縁石付側溝ブロックＡの上面まで垂直方向に、しかも一定深さとなるように刳り貫いて形成している。ここで、刳り貫きの深さは連結凸部６'の高さと等しく、また、深さ方向に形成された傾斜面は、連結凸部６'の外周面と逆テーパー面としており、連結凸端面６の連結凸部６'は連結凹端面７の連結凹部７'に嵌合する。
【００４８】
縁石３は、図５に示すように、側溝ブロック本体２の歩道側の上面に突設しており、車道側の側面を傾斜させて基端肉厚としている。しかも、車道側の角部を丸く加工して、縁石３の縁欠けを防止するとともに、利用者の安全を確保している。
【００４９】
また、縁石３の歩道側の面には、図１,図７に示すように、矩形状に刳り貫いた雑草防止用凹部８を設けている。このように、雑草防止用凹部８を、十分な大きさと厚みとを有する縁石３の側面に設けているので、水路１を有する側溝ブロック本体２の構造強度を保持したまま、雑草防止用凹部８を十分な大きさと奥行きを有して形成することができる。そのため、縁石３とアスファルトＭとの境界に十分な凹凸を形成して強固に接着することができる。
【００５０】
しかも、この雑草防止用凹部８は、断面視台形状（図７参照。）としており、深さ方向における全側面は開口部へ向かう程漸次拡幅するように傾斜しているため、縁石付側溝ブロックＡが埋設される際、アスファルトＭが雑草防止用凹部８の隅々にまで充填されやすく、雑草防止用凹部８とアスファルトＭとの間に間隙が形成されることを防止することができる。
【００５１】
また、この雑草防止用凹部８は、縁石３の側縁に沿って所定間隔を保持して４個列設しており、水平方向において凹凸を形成することができる。そのため、雑草防止用凹部８が側縁に沿って連続的に形成されている場合と比較して、縁石３の歩道側の面における構造強度を強く保つことができるとともに、縁石３の歩道側の面とアスファルトＭとの境界面積を大きくして強固に連結することができる。
【００５２】
しかも、上述したように、雑草防止用凹部８の深さ方向における全側面は開口部へ向かう程漸次拡幅するように傾斜しているので、雑草防止用凹部８と雑草防止用凹部８とを近接させて形成して、雑草防止用凹部８と雑草防止用凹部８との間の面積を小さく構成したり、或いは、雑草防止用凹部８と雑草防止用凹部８とを連続して形成したとしても、縁石３の歩道側の面の構造強度を強く保つことができる。このように、縁石３の歩道側の面の構造強度を保持しながら、雑草の根９の成育を阻害するに十分な雑草防止用凹部８を設けることができる。
【００５３】
次に、この縁石付側溝ブロックＡを連結させて側溝を構築し、歩車道の境界に埋設する方法について説明する。
【００５４】
まず、舗装工事中の道路の脇に溝条を掘削する。
【００５５】
この溝条に第１の縁石付側溝ブロックＡを配置する。
【００５６】
次に、配置した第１の縁石付側溝ブロックＡに、第２の縁石付側溝ブロックＡを連結すべく、第１の縁石付側溝ブロックＡの連結凸端面６と、第２の縁石付側溝ブロックＡの連結凹端面７とを摺動させながら、第２の縁石付側溝ブロックＡの連結凹部７'内に第１の縁石付側溝ブロックＡの連結凸部６'を侵入させながら静かに落し込み、第１の縁石付側溝ブロックＡの連結凸部６'と、第２の縁石付側溝ブロックＡの連結凹部７'とを嵌合させて、第１の縁石付側溝ブロックＡと第２の縁石付側溝ブロックＡとを連結する。
【００５７】
この時、第１の縁石付側溝ブロックＡにおける連結凸部６'の上方には、第２の縁石付側溝ブロックＡにおける連結凹部７'によって間隙が形成されている。この間隙にコンクリートを打設してこの間隙を埋めるとともに、第１の縁石付側溝ブロックＡと第２の縁石付側溝ブロックＡとを連設固定する。
【００５８】
このようにして、縁石付側溝ブロックＡを順次連設固定しながら側溝を構築する。
【００５９】
こうして側溝が構築されると、側溝の車道側および歩道側にアスファルトＭを敷設して側溝を埋設する。
【００６０】
この時、図８に示すように、縁石３の歩道側の面に設けた雑草防止用凹部８の一部にアスファルトＭが充填される。ここで、雑草防止用凹部８の深さ方向における全側面は、開口部へ向かう程漸次拡幅するように傾斜しているため、アスファルトＭが雑草防止用凹部８の隅々にまで充填されやすく、雑草防止用凹部８とアスファルトＭとの間に間隙が形成されることを防止することができる。そのため、雑草防止用凹部８とアスファルトＭとを強固に接着することができる。
【００６１】
この縁石３とアスファルトＭとの境界は、縁石付側溝ブロックＡの使用状況や使用期間の長期化によってひび割れを起こし、縁石３とアスファルトＭとの境界部に間隙Ｓを形成する場合がある。そのような場合、間隙Ｓは前記雑草防止用凹部８に沿って形成されるので凹凸を有し、土質部Ｎと地表との距離が延長される。そのため、この間隙Ｓに土砂とともに雑草の種子が侵入して豊富な栄養素を含む土質部Ｎまで根を成育させようとしたとしても、この凹凸によって垂直方向に成育することはできず、土質部Ｎに到達することなく途中で枯れてしまう。また、土質部Ｎに存在する雑草の種子が発芽しようとしても、やはり、地表に到達する前に枯れてしまう。特に、雑草防止用凹部８は十分に大きく、しかも十分な奥行きを有するので、間隙Ｓの凹凸を十分な大きさと奥行きとを有して形成することができ、どんなに生命力のたけた雑草であってもその根９の成育を阻害して、雑草が地上に繁茂することを防止することができる。しかも、太陽光線が強い季節においては、太陽熱で加熱された縁石３やアスファルトＭが雑草の根９の成育を阻害して枯らすことができる。そのため、雑草の刈り取り作業を要することなく歩車道の美観を保持することができる。
【００６２】
このように、本発明に係る雑草防止用の縁石付側溝ブロックＡは、縁石付側溝ブロックＡの構造強度を保持しながら、雑草防止用凹部８を雑草の根９の成育を阻止するに十分な大きさと奥行きを有して設けることができ、縁石付側溝ブロックＡとアスファルトＭとの境界部における雑草の成育を阻止して歩車道の美観を保持することができる。
【００６３】
なお、この縁石付側溝ブロックＡは、上述したように、敷設した第１の縁石付側溝ブロックＡに、第２の縁石付側溝ブロックＡを隣接する際には、第１の縁石付側溝ブロックＡの連結凸端面６と、第２の縁石付側溝ブロックＡの連結凹端面７とを摺動させながら、第２の縁石付側溝ブロックＡを垂直下方向に落し込んで、第１の縁石付側溝ブロックＡと第２の縁石付側溝ブロックＡとを連結できるので、使用中に一部を取り替える必要が生じた場合には、取替えが必要な縁石付側溝ブロックＡだけを、他の縁石付側溝ブロックＡとは無関係に単独で容易に取り外すことができる。
【００６４】
また、取り外した縁石付側溝ブロックＡの代わりに、新たな縁石付側溝ブロックＡを挿入する際にも、他の縁石付側溝ブロックＡとは無関係に容易に挿入することができるので、取替え工事にかかる労力と時間を最小限に抑えることができる。
【００６５】
上述してきたように、本実施形態では、縁石３の歩道側の面に設けた雑草防止用凹部８を、矩形状に刳り貫いたものを縁石３の側縁に沿って所定間隔を保持して列設し複数設けた形態として説明してきたが、雑草防止用凹部８を有する縁石付側溝ブロックＡとしてはこれに限ったものではなく、様々な形態が考えられる。
【００６６】
例えば、図９に示すように、雑草防止用凹部として、縁石３ｂの側縁に沿って側面視略矩形とする凹溝１０を刻設した形態とした縁石付側溝ブロックとしてもよい。ここで、凹溝１０が開口部に向けて漸次拡開するように構成すれば、縁石付側溝ブロックを埋設する際に、アスファルトが凹溝１０の隅々にまで充填されやすく、縁石とアスファルトとの境界に間隙が形成されることを防止して強固に接着することができる。また、縁石とアスファルトとの境界がひび割れた際にも、土砂が侵入する間隙を最小限に抑えて、雑草の根が成育しやすい環境を与えないようにすることができる。
【００６７】
ここで、前記凹溝１０の奥部に、断面形状を矩形状とする前記凹溝１０よりも小さな凹溝１１を刻設することもできる（図１０参照。）。このように、凹溝の形状を複雑とすれば、縁石３ｂとアスファルトとの境界がひび割れた際に、縁石３ｂとアスファルトとの境界に形成される間隙を複雑な凹凸を有して形成することができ、凹溝１０の下方に存在する土質部と地表間の距離をさらに延長させることができる。そのため、生命力のたけた雑草であっても、その根の成育を阻止して歩車道の美観を保つことができる。
【００６８】
また、図１１に示すように、雑草防止用凹部として、縁石３ｃの側縁に沿って、断面形状を円弧状とする凹溝１２を刻設した形態とした縁石付側溝ブロックとしてもよい。このように、断面形状を円弧状とすれば、前記凹溝１０を設けた縁石付側溝ブロックの場合と同様に、縁石付側溝ブロックを埋設する際に、アスファルトが凹溝１２の隅々にまで充填されやすく、縁石３ｃとアスファルトとの境界に間隙が形成されることを防止して強固に接着することができる。また、縁石３ｃとアスファルトとの境界がひび割れた際にも、土砂が侵入する間隙を最小限に抑えて、雑草の根が成育しやすい環境を与えないようにすることができる。
【００６９】
さらに、前記雑草防止用凹部の開口形状を、例えば、楕円や平行四辺形として、縁石の歩道側の面に斜め方向に傾斜させて配置するとともに、この凹部を水平方向に平行移動させた位置に所定間隔を保持して複数配置させることによって、縁石の歩道側の面の上下方向において必ず凹部が存在するようにすることができる。開口形状を平行四辺形とするとともに、断面形状を開口部へ向けて漸次拡開させた雑草防止用凹部１３を有する縁石３ｄを、図１２に示す。ここで、（ａ）は、縁石３ｄを正面側（歩道側）から見た斜視図であり、（ｂ）は、縁石３ｄの正面図である。このような縁石３ｄを有する縁石付側溝ブロックとすれば、縁石３ｄの歩道側の面における上下方向において必ず雑草防止用凹部１３が存在するようにして、縁石３ｄと歩道側舗装路との境界部に間隙が発生した場合に、地表と土質部とを連通する間隙に必ず凹部を設けることができる。その結果、縁石３ｄと歩道との境界部の全体に亘り雑草が繁茂することを防止することができる。また、断面形状を開口部へ向けて漸次拡開させているので、アスファルトが雑草防止用凹部１３に充填されやすく、縁石３ｄと雑草防止用凹部１３との間に間隙が形成されることを防止することができる。しかも、雑草防止用凹部１３と雑草防止用凹部１３との間は、縁石３ｄの歩道側の面の上部および下部と連続しているので、縁石３ｄと歩道側舗装路との境界における構造強度を保持することができる。ここで、例えば、図１２に示すように、複数の雑草防止用凹部１３のうち、両端に配置される雑草防止用凹部１３'の開口形状を、両端に配置されない雑草防止用凹部１３の開口形状の１／２として、縁石付側溝ブロック同士を隣接させた場合に、隣合うそれぞれの両端に配置された雑草防止用凹部１３'が連続されて、両端に配置されない雑草防止用凹部１３と同一形状となるようにすることもできる。このようにすると、連続した雑草防止用凹部１３'，１３'に充填されるアスファルトによって、隣接する縁石付側溝ブロック同士がずれ合うことを防止して強固に接着することができる。
【００７０】
以上、縁石の歩道側の面に凹部を形成し、縁石と歩道との境界部より雑草が成育するのを防止することのできる縁石付側溝ブロックについて、一定高さの縁石を有する縁石付側溝ブロックについて述べてきたが、縁石の歩道側の面に凹部を形成した縁石付側溝ブロックとしては、一定高さの縁石を有する縁石付側溝ブロックだけではなく、縁石の上面に伸延方向に沿って下降させた傾斜面を有する縁石付側溝ブロックであってもよい。このような縁石付側溝ブロックは、歩車道の境界において段差のない車両乗入部を形成する際、この車両乗入部のそれぞれの両側と、縁石の下降傾斜面の下降側とが連続するように配設して、車両乗入部から縁石の高さが次第に高くなるようにすることができる。そのため、車両の乗入れを安全に行うことができるとともに、縁石と歩道との境界部に雑草が繁茂することを防止することができる。
【００７１】
また、縁石の歩道側の面に雑草防止用の凹部を形成した縁石は、側溝ブロックと一体に形成されるだけではなく、縁石単体として構成されてもよく、歩車道の境界において側溝を設ける必要のない場合には、歩車道の境界に縁石だけを配設して縁石と歩道との境界部より雑草が成育するのを防止することができる。
【図面の簡単な説明】
【００７２】
【図１】本発明に係る雑草防止用側溝ブロックの正面図である。
【図２】本発明に係る雑草防止用側溝ブロックの平面図である。
【図３】本発明に係る雑草防止用側溝ブロックの背面図である。
【図４】本発明に係る雑草防止用側溝ブロックの底面図である。
【図５】図２のＩ'−Ｉ'線における端面図である。
【図６】図２のＩ”−Ｉ”線における端面図である。
【図７】図１のＩ−Ｉ線における断面図である。
【図８】本発明に係る雑草防止用の縁石付側溝ブロックが雑草の根の成育を阻害していることを示す説明図である。
【図９】縁石に設けた雑草防止用凹部の断面形状が台形状である縁石付側溝ブロックにおける縁石を示す斜視図である。
【図１０】縁石に設けた雑草防止用凹部の断面形状を複雑とした雑草防止用の縁石付側溝ブロックにおける縁石の断面図である。
【図１１】縁石に設けた雑草防止用凹部の断面形状が円弧状である雑草防止用の縁石付側溝ブロックにおける縁石を示す斜視図である。
【図１２】縁石に設けた雑草防止用凹部の開口形状が平行四辺形である雑草防止用の縁石付側溝ブロックにおける縁石を示す図である。
【符号の説明】
【００７３】
Ａ  縁石付側溝ブロック
Ｍ  アスファルト
Ｎ  土質部
Ｓ  間隙
１  水路
２  側溝ブロック本体
３  縁石
４  排水孔
５  切り落し傾斜面
６  連結凸端面
６' 連結凸部
７  連結凹端面
７' 連結凹部
８  雑草防止用凹部
【図１】
2006077430.tif 000003
【図２】
2006077430.tif 000004
【図３】
2006077430.tif 000005
【図４】
2006077430.tif 000006
【図５】
2006077430.tif 000007
【図６】
2006077430.tif 000008
【図７】
2006077430.tif 000009
【図８】
2006077430.tif 000010
【図９】
2006077430.tif 000011
【図１０】
2006077430.tif 000012
【図１１】
2006077430.tif 000013
【図１２】
2006077430.tif 000014